(57)【要約】【課題】光源の位置に拘わらず発光部を自由に配置することのできる紙幣識別装置を提供する。【解決手段】発光部３０は、下側のガイド２３に設けられた開口部３１と、紙幣投入口２１の近傍に設けられた光源３２と、光源３２の光を開口部３１に導く導光部材３３とを有しているので、開口部３１の裏側面に光源３２を配置する必要はなく、光源３２の位置に拘わらず発光部３０を自由に配置することができ、設計上の自由度を向上させることが可能となる。【選択図】図２
2009080769.tif 000002
【特許請求の範囲】
【請求項１】
投入される紙幣の両面側にそれぞれ位置するように設けられ、紙幣投入口を構成する一対のガイドを備え、一対のガイドの少なくとも一方に、紙幣投入口に沿って互いに間隔をおいて配置された複数の発光部を設けた紙幣識別装置において、
前記ガイドの各発光部に対応する位置に設けられた複数の開口部と、
紙幣投入口の近傍に設けられた光源と、
光源の光を開口部に導く導光部材とを備え、
前記複数の発光部を、光源の光を導光部材を介して各開口部から外部に向かって照射するように構成した
ことを特徴とする紙幣識別装置。
【請求項２】
前記導光部材を、一つの光源の光を複数の開口部に導くように構成した
ことを特徴とする請求項１記載の紙幣識別装置。
【請求項３】
前記導光部材に、光源の光を所定の方向に反射させる反射面を設けた
ことを特徴とする請求項１または２記載の紙幣識別装置。
【請求項４】
前記導光部材を、光学用材料から構成した
ことを特徴とする請求項１乃至３の何れか１項記載の紙幣識別装置。
【発明の詳細な説明】
【技術分野】
【０００１】
本発明は、自動販売機、両替機等に設けられ、紙幣の真偽を識別して収納するための紙幣識別装置に関するものである。
【背景技術】
【０００２】
従来、この種の紙幣識別装置としては、投入される紙幣の両面側にそれぞれ位置するように設けられ、紙幣投入口を構成する一対のガイドを備え、一対のガイドの少なくとも一方に、紙幣投入口に沿って互いに間隔をおいて配置された複数の発光部を設けたものが知られている（例えば、特許文献１及び特許文献２参照）。
【特許文献１】特開昭６０−６１８８１号公報
【特許文献２】実開平１−５７５７３号公報
【発明の開示】
【発明が解決しようとする課題】
【０００３】
従来の紙幣識別装置では、発光部に発光ダイオード（ＬＥＤ）等の光源を直接設けたり、発光部に対応する位置の開口部の裏側面に光源を設けたりすることにより、発光部を構成している。このため、ガイドに発光部を設ける場合には、その裏面側に光源及び基板等を配置するスペースが必要となるため、発光部を自由に配置することができない。
【０００４】
本発明の目的とするところは、光源の位置に拘わらず発光部を自由に配置することのできる紙幣識別装置を提供することにある。
【課題を解決するための手段】
【０００５】
本発明は前記目的を達成するために、投入される紙幣の両面側にそれぞれ位置するように設けられ、紙幣投入口を構成する一対のガイドを備え、一対のガイドの少なくとも一方に、紙幣投入口に沿って互いに間隔をおいて配置された複数の発光部を設けた紙幣識別装置において、前記ガイドの各発光部に対応する位置に設けられた複数の開口部と、紙幣投入口の近傍に設けられた光源と、光源の光を開口部に導く導光部材とを備え、前記複数の発光部を、光源の光を導光部材を介して各開口部から外部に向かって照射するように構成している。
【０００６】
これにより、導光部材によって光源の光が開口部に導かれることから、光源の位置に拘わらず発光部を自由に配置することが可能となる。
【発明の効果】
【０００７】
本発明によれば、光源の位置に拘わらず発光部を自由に配置することができるので、設計の自由度を向上させることが可能となる。
【発明を実施するための最良の形態】
【０００８】
図１乃至図６は本発明の一実施形態を示すもので、図１は紙幣識別装置の全体斜視図、図２は紙幣識別装置の要部正面図、図３は紙幣識別装置の要部側面断面図、図４は導光部材の全体斜視図、図５は導光部材の平面図、図６は導光部材の側面図である。
【０００９】
この紙幣識別装置は、図示しない紙幣搬送機構、紙幣識別センサ及び紙幣収納部等を有する装置本体１０と、装置本体の前面上部側に設けられたフロントカバー２０とを備えている。
【００１０】
フロントカバー２０は、紙幣を投入する際に、紙幣の両面を上下に向けた状態で投入可能なように、幅方向に延びるように紙幣投入口２１が設けられている。紙幣投入口２１は、紙幣の端部を容易に挿入可能なように上下両側がそれぞれ曲面状に形成され、投入された紙幣を紙幣搬送機構に案内するための上下一対のガイド２２，２３からなる。また、下側のガイド２３には、紙幣投入口２１に沿って互いに間隔をおいて配置され、紙幣投入口２１を照らすための４つの発光部３０が設けられている。
【００１１】
発光部３０は、下側のガイド２３に、互いに幅方向に所定間隔をおいて設けられた４つの開口部３１と、紙幣投入口２１の下方に位置する装置本体１０に設けられた幅方向一対の光源３２と、光源３２の光を開口部３１に導くための一対の導光部材３３とを有している。
【００１２】
各光源３２は、装置本体１０内に設けられた発光ダイオード（ＬＥＤ）等からなり、装置本体１０に設けられた開口部１１を介して光を前方に向かって照射するようになっている。
【００１３】
各導光部材３３は、１つの光源３２用に装置本体１０に設けられた開口部１１と下側のガイド２３の２つの開口部３１を接続するように形成された光学ガラス等の光学用材料からなり、１つの光源３２の光を分岐させて２つの発光部３０を光らせるようになっている。また、各導光部材３３は光源３２の光を所定の方向に反射させるための複数の反射面３３ａを有し、所定方向に照射される光源３２の光を、複数の反射面３３ａによって全反射させ、減衰を最小限に任意の位置に導くようになっている。
【００１４】
以上のように構成された紙幣識別装置において、紙幣投入口２１の下方に位置する装置本体１０の開口部１１から前方に向かって照射される一対の光源３２の光は、図５及び図６の一点鎖線に示すように、各導光部材３３に入射して複数の反射面３３ａで反射し、下側のガイド２３の各開口部３１に導かれる。これにより、紙幣投入口２１は、各開口部３１に導かれた光によって部分的に照らされる。このとき、紙幣投入口２１は、互いに幅方向に間隔をおいて配置された４つの発光部３０によって部分的に照らされるとともに、各発光部３０の間に陰影ができることから、発光部３０の光と各発光部３０の間のコントラストによって容易に紙幣投入口２１の位置を視認することが可能となる。
【００１５】
このように本実施形態の紙幣識別装置によれば、発光部３０は、下側のガイド２３に設けられた開口部３１と、紙幣投入口２１の近傍に設けられた光源３２と、光源３２の光を開口部３１に導く導光部材３３とを有しているので、開口部３１の裏側面に光源３２を配置する必要はなく、光源３２の位置に拘わらず発光部３０を自由に配置することができ、設計の自由度を向上させることが可能となる。
【００１６】
また、導光部材３３は、１つの光源３２の光を分岐して複数の開口部３１に導くようになっているので、発光部３０よりも少ない数の光源３２によって、発光部３０の全てを発光させることができ、製造コストの低減を図ることが可能となる。
【００１７】
また、導光部材３３は、入光した光を所定の方向に反射させる反射面３３ａを有しているので、減衰を最小限に光源３２の光を開口部３１に導くことができ、最小限の光量の光源３２を用いることが可能となる。
【００１８】
また、導光部材３３は、光学ガラスから形成されているので、減衰を最小限に光源３２の光を開口部３１に導くことができ、最小限の光量の光源３２を用いることが可能となる。
【００１９】
尚、前記実施形態では、紙幣投入口２１に沿って互いに間隔をおいて４つの発光源３０を下側のガイド２３に設けたものを示したが、発光源３０の数は４つより多くても良いし、４つより少なくてもよい。
【００２０】
また、前記実施形態では、１つ光源３２の光を分岐して２つの開口部３１に導くように導光部材３３を形成したものを示したが、１つの光源３２の光を分岐して３以上の開口部３１に導くように導光部材を形成しても良い。
【００２１】
また、前記実施形態では、下側のガイド２３に発光部３０を設けた物を示したが、上側のガイド２２に設けても良いし、上下両側のガイド２２，２３に設けても良い。また、紙幣投入口２１が上下に延びるように設けられている場合には、左右両側のガイドの一方または両方に発光部３０を設けるようにすれば良い。
【図面の簡単な説明】
【００２２】
【図１】本発明の一実施形態を示す紙幣識別装置の全体斜視図
【図２】紙幣識別装置の要部正面図
【図３】紙幣識別装置の要部側面断面図
【図４】導光部材の全体斜視図
【図５】導光部材の平面図
【図６】導光部材の側面図
【符号の説明】
【００２３】
２０…フロントカバー、２１…紙幣投入口、２２，２３…ガイド、３０…発光部、３１…開口部、３２…光源、３３…導光部材、３３ａ…反射面。
【図１】
2009080769.tif 000003
【図２】
2009080769.tif 000004
【図３】
2009080769.tif 000005
【図４】
2009080769.tif 000006
【図５】
2009080769.tif 000007
【図６】
2009080769.tif 000008